(57)【要約】【課題】通信周波数やノイズ源のクロック周波数を変える事なく、ＣＰＵやＤＣ−ＤＣコンバータ等からの放射ノイズによる電波干渉を低減する携帯通信端末を提供する。【解決手段】携帯通信端末は、受信装置１０２で無線電波を通信するが、この通信される無線電波を妨害する不要ノイズをノイズ源１０５が放射する。しかし、放射される不要ノイズを抑制する導電性のシールド構造体１０６が、複数種類のインピーダンス部材１０８〜１１１と接離自在に接続される。このようなシールド構造体１０６と複数種類のインピーダンス部材１０８〜１１１との接続を無線電波の通信周波数に対応して接続制御部１０３が制御するので、広帯域の無線電波を妨害する広帯域の不要ノイズを良好に低減することができる。【選択図】図１
2012213030.tif 000002
【特許請求の範囲】
【請求項１】
無線電波を通信する無線通信回路と、
通信される前記無線電波を妨害する不要ノイズを放射するノイズ放射回路と、
放射される前記不要ノイズを抑制する導電性のノイズ抑制部材と、
前記ノイズ抑制部材に接離自在に接続される複数のインピーダンス部材と、
前記ノイズ抑制部材と複数種類の前記インピーダンス部材との接続を前記無線電波の通信周波数に対応して制御する接続制御部と、
を有する携帯通信端末。
【請求項２】
前記ノイズ抑制部材が前記ノイズ放射回路をシールドするシールド構造体からなる請求項１に記載の携帯通信端末。
【請求項３】
複数種類の前記インピーダンス部材の少なくとも一部としてインピーダンスが相違する複数のインピーダンス回路を有する請求項１または２に記載の携帯通信端末。
【請求項４】
複数の前記インピーダンス回路のインピーダンスは前記無線電波の周波数に対応している請求項３に記載の携帯通信端末。
【請求項５】
複数の前記インピーダンス回路は接地されている回路基板に接続されている請求項３または４に記載の携帯通信端末。
【請求項６】
複数種類の前記インピーダンス部材の少なくとも一部としてグランドショート回路を有する請求項１ないし５の何れか一項に記載の携帯通信端末。
【請求項７】
複数種類の前記インピーダンス部材の少なくとも一部としてオープン回路を有する請求項１ないし６の何れか一項に記載の携帯通信端末。
【請求項８】
前記オープン回路は接地されている回路基板に接続されている請求項７に記載の携帯通信端末。
【請求項９】
無線電波を通信する無線通信回路と、通信される前記無線電波を妨害する不要ノイズを放射するノイズ放射回路と、を有する携帯通信端末のノイズ低減方法であって、
放射される前記不要ノイズを導電性のノイズ抑制部材で抑制し、
前記ノイズ抑制部材に複数のインピーダンス部材を接離自在に接続し、
前記ノイズ抑制部材と複数種類の前記インピーダンス部材との接続を前記無線電波の通信周波数に対応して接続制御部で制御する、ノイズ低減方法。
【発明の詳細な説明】
【技術分野】
【０００１】
本発明は、特定の周波数で無線通信する携帯通信端末、そのノイズ低減方法に関する。
【背景技術】
【０００２】
携帯通信端末は、小型化や軽量化が求められている為、原因がわかっていても対策を立てることが困難な事が多々ある。その為、多くの対策方法が権利化されているが、その一部である、ノイズ源の周波数を変える事はシステム設計に負担をかけ、その制御方法が困難であったり、そもそも実現が難しい事が多い
また、通信中に周波数を変えることは、本来実網設計に用いられるべき事で個々の都合で変える事は、リソースの振り分け等、通信システム全体に悪影響を及ぼす恐れがある。
【０００３】
通信中にノイズが増大したことは例えばＷＣＤＭＡ(Wideband Code Division Multiple Access)の場合、Ｅｃ／Ｎｏの値により把握できる。クロックの逓倍波によるノイズかどうかは、近くの周波数のＥｃ／Ｎｏの値によって判断する（当たりｃｈによるノイズならば他の近くの周波数は影響を受けないはずである）。
【０００４】
クロック周波数の逓倍波によるノイズなら、そのクロック周波数を変えることにより、通信周波数への影響を軽減することができる（特許文献１，２）。また、Ｗｉｒｅｌｅｓｓ  ＬＡＮやＢｌｕｅｔｏｏｔｈ等のＩＳＭ(Industry-Science-Medical)帯においては、ホッピング機能により通信周波数を自動的に切り替えることができる機能を持つことが定められており、それを応用すればクロック周波数の当たりｃｈによる感度劣化が生じた場合は、通信周波数を変えれば良いので、スループット低下防止が可能である。
【０００５】
しかし、ノイズの帯域が非常に広く、フロアノイズが上昇したかのような影響を受けることもある。その場合はノイズ源をシールド等の金属物で覆い、グランドに落とせば効果がある事が多い。
【０００６】
しかし、携帯通信端末のような装置においては厚さを容易に増やせないこともあり、シールドできない場合がある。また、ある周波数帯では単純にグランドに落とせば効果があったのに、ある周波数帯では一部開放端として設計した方が良い場合があり、通信周波数帯域によってその対策内容が変わる可能性がある。
【０００７】
携帯通信端末においては、通信周波数が低い方から高い方まで複数持つ事が多く、通信するアンテナの波長が異なる為に、ノイズ対策が異なる場合が多い。図２に従来の構成図を示す。携帯通信端末自身が持つノイズ源からのノイズが直接伝播やグランド伝播によってアンテナと結合して受信感度が劣化する。
【０００８】
さらに、電磁ノイズに起因する通信性能の劣化をより確実に防止できる携帯無線装置の提案もある。その技術では、携帯電話機に、カメラ本体と、カメラ本体の両脇に配設される部分基板部、を含む回路基板と、カメラ本体の裏面（撮像面と反対の面）に近接して対向配置されるカメラシールドと、カメラ本体と接続されて部分基板部でグランドに接地するカメラ接続コネクタと、カメラシールドと接続されて部分基板部でグランドに接地する周波数制限部と、部分基板部に設けられた給電部と、部分基板部に設けられグランド接地する整合回路部とが設けられている。
【０００９】
これにより、カメラ本体から回路基板へ逃がす干渉成分の周波数のうち通信に悪影響を及ぼす周波数を制限することができるので、電磁ノイズに起因する通信性能の劣化を、より確実に防止できる(特許文献３)。
【先行技術文献】
【特許文献】
【００１０】
【特許文献１】特開２０１０−０５７１２０号公報
【特許文献２】特開２００１−０２４５３８号公報
【特許文献３】特開２００９−１１１９１３号公報
【発明の概要】
【発明が解決しようとする課題】
【００１１】
上述のように受信感度が劣化する対策として、ノイズを発するノイズ源の近くに金属シールドを付けた場合、ある通信周波数に対してはグランドに落とした方がノイズ量を減らせるが、ある違った通信周波数に対してはグランドに落とさず、開放端としたり、インピーダンスを変えてグランドに落とした方が良い場合がある。
【００１２】
また、特許文献３の技術では、電磁ノイズの発生源をカメラ本体に限定している。このため、回路基板へ逃がす干渉成分の周波数がカメラ本体に対応したものに制限されている。しかし、近年の携帯通信端末では、電磁ノイズの発生源はカメラ本体に限定されず、ＣＰＵ(Central Processing Unit)やＤＣ(Direct Current)−ＤＣコンバータなど、各種がある。
【００１３】
本発明は上述のような課題に鑑みてなされたものであり、通信周波数やノイズ源のクロック周波数を変える事なく、ＣＰＵやＤＣ−ＤＣコンバータ等からの放射ノイズによる電波干渉を低減する携帯通信端末、そのノイズ低減方法、を提供するものである。
【課題を解決するための手段】
【００１４】
本発明の携帯通信端末は、無線電波を通信する無線通信回路と、通信される無線電波を妨害する不要ノイズを放射するノイズ放射回路と、放射される不要ノイズを抑制する導電性のノイズ抑制部材と、ノイズ抑制部材に接離自在に接続される複数のインピーダンス部材と、ノイズ抑制部材と複数種類のインピーダンス部材との接続を無線電波の通信周波数に対応して制御する接続制御部と、を有する。
【００１５】
本発明のノイズ低減方法は、無線電波を通信する無線通信回路と、通信される無線電波を妨害する不要ノイズを放射するノイズ放射回路と、を有する携帯通信端末のノイズ低減方法であって、放射される不要ノイズを導電性のノイズ抑制部材で抑制し、ノイズ抑制部材に複数のインピーダンス部材を接離自在に接続し、ノイズ抑制部材と複数種類のインピーダンス部材との接続を無線電波の通信周波数に対応して接続制御部で制御する。
【発明の効果】
【００１６】
本発明の携帯通信端末は、無線通信回路で無線電波を通信するが、この通信される無線電波を妨害する不要ノイズをノイズ放射回路が放射する。しかし、放射される不要ノイズを抑制する導電性のノイズ抑制部材が、複数種類のインピーダンス部材と接離自在に接続される。このようなノイズ抑制部材と複数種類のインピーダンス部材との接続を無線電波の通信周波数に対応して接続制御部が制御するので、広帯域の無線電波を妨害する広帯域の不要ノイズを良好に低減することができる。
【図面の簡単な説明】
【００１７】
【図１】本発明の実施の形態の携帯通信端末の回路構造を示す模式的なブロック図である。
【図２】一従来例の携帯通信端末の回路構造を示す模式的なブロック図である。
【発明を実施するための形態】
【００１８】
本発明の実施の一形態を図１を参照して以下に説明する。ただし、本実施の形態に関して前述した一従来例と同一の部分は、同一の名称を使用して詳細な説明は省略する。
【００１９】
本実施の形態の携帯通信端末は、図示するように、無線電波を通信する無線通信回路である受信装置１０２と、通信される無線電波を妨害する不要ノイズを放射するノイズ放射回路であるノイズ源１０５と、放射される不要ノイズを抑制する導電性のノイズ抑制部材であるシールド構造体１０６と、シールド構造体１０６に接離自在に接続される複数のインピーダンス部材１０８〜１１１と、シールド構造体１０６と複数種類のインピーダンス部材１０８〜１１１との接続を無線電波の通信周波数に対応して制御する接続制御部１０３と、を有する。
【００２０】
より詳細には、ノイズ源１０５は、ＣＰＵやＤＣ−ＤＣコンバータ等からなり、シールド構造体１０６は、ノイズ源１０５をシールドするボックス状に形成されている。本実施の形態の携帯通信端末は、複数種類のインピーダンス部材１０８〜１１１の少なくとも一部として、インピーダンスが相違する複数のインピーダンス回路１０８，１０９を有する。
【００２１】
本実施の形態の携帯通信端末は、複数の無線電波の周波数に対応している。そして複数のインピーダンス回路１０８，１０９のインピーダンスは、互いに異なる周波数に対応している。複数のインピーダンス回路１０８，１０９は接地されている回路基板１０１に接続されている。
【００２２】
さらに、本実施の形態の携帯通信端末は、複数種類のインピーダンス部材１０８〜１１１の少なくとも一部としてグランドショート回路１１０を有する。また、複数種類のインピーダンス部材１０８〜１１１の少なくとも一部としてオープン回路１１１を有する。オープン回路１１１は接地されている回路基板１０１に接続されている。
【００２３】
なお、接続制御部１０３は、シールド構造体１０６と複数種類のインピーダンス部材１０８〜１１１との接続を制御するスイッチ１０７に接続されている。
【００２４】
上述のような構成において、本実施の形態の携帯通信端末では、受信装置１０２が無線アンテナ１０４で無線電波を通信するが、この通信される無線電波を妨害する不要ノイズをノイズ源１０５が放射する。
【００２５】
しかし、放射される不要ノイズを抑制する導電性のシールド構造体１０６が、複数種類のインピーダンス部材１０８〜１１１と接離自在に接続される。このようなシールド構造体１０６と複数種類のインピーダンス部材１０８〜１１１との接続を無線電波の通信周波数に対応して接続制御部１０３が制御するので、広帯域の無線電波を妨害する広帯域の不要ノイズを良好に低減することができる。
【００２６】
つまり、切り替えスイッチ１０７を使ってシールド構造体１０６をグランドショート回路１１０に切り替えたり、オープン回路１１１に切り替えたり、複数のインピーダンス回路１０８，１０９の一つを介してグランド接続に切り替えたりして、複数の通信周波数に対して最適なノイズ対策となる事を実現する。
【００２７】
すなわち、本実施の形態の携帯通信端末では、棒状や箱状の金属物をシールド構造体１０６として配置することによって、ノイズの向きを変えて通信用アンテナとの結合を下げる事ができるようにしている。
【００２８】
しかし、このような金属物がアンテナのように見えて、通信用のアンテナと波長が合ってしまうと金属物と通信アンテナとが高周波結合してしまい、結局ノイズがアンテナにのってしまう可能性が高い。
【００２９】
そこで、ノイズ源１０５に対してインピーダンス部材１０８〜１１１が複数となるようなシールド構造体１０６を用意して通信用アンテナとは別の方向へ指向性をとるようにした。
【００３０】
また、シールド構造体１０６をグランドに落としたりインピーダンスを変化させてグランドに落としたり単純に開放端となるように自動的に制御が可能なように切り替えスイッチ１０７を配置した。
【００３１】
ノイズの向きを変える事ができるパラメータを持つことによって実際にノイズ量が減る（受信感度が劣化しない）ポイントを自動的に探すことができる。
【００３２】
なお、より好適には、予めノイズ源１０５に対してどのようにグランドに接続すればノイズ低減効果が最良となるか、通信周波数毎に確認しておき、接続制御部１０３でスイッチ１０７を制御して、シールド構造体１０６のグランド接続状態を通信周波数毎に変更すれば、より良好に不要ノイズを低減することができる。
【００３３】
なお、本発明は本実施の形態に限定されるものではなく、その要旨を逸脱しない範囲で各種の変形を許容する。例えば、上記形態ではシールド構造体１０６がノイズ源１０５を包囲するボックス状に形成されていることを例示した。しかし、上述のように放射される不要ノイズを抑制する導電性のノイズ抑制部材としては、不要ノイズの方向を変更できる導電性の部材であればよい。
【００３４】
また、上記形態ではインピーダンス回路１０８，１０９が二個であることを例示したが、このようなインピーダンス回路を増やしてスイッチ１０７の経路を増やせば、より複数の通信周波数に対応することもできる。
【００３５】
さらに、上記形態では二個のインピーダンス回路１０８，１０９のインピーダンスが相違していて選択的に回路基板１０１に接続されることを想定した。しかし、同一の複数のインピーダンス回路の接続の個数を切り替えてもよい。
【００３６】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００３７】
１０１    回路基板
１０２    受信装置
１０３    接続制御部
１０４    受信アンテナ
１０５    ノイズ源
１０６    シールド構造体
１０７    スイッチ
１０８    第一インピーダンス回路
１０９    第二インピーダンス回路
１１０    グランドショート回路
１１１    オープン回路
【図１】
2012213030.tif 000003
【図２】
2012213030.tif 000004